(57)【要約】【課題】  複数のチャンネルの番組内容を容易に把握可能な映像受信装置、プログラムおよび記録媒体を提供し、番組のうち、ユーザが視聴を望む一部分のデータに基づいた課金情報を算出するコンテンツサーバを提供し、映像受信装置にユーザの興味が高い番組を効率よく表示させるコンテンツ配信システムを提供する。【解決手段】  チャンネルを、時間経過毎に、順次変更させて、対応するチャンネルの画像を、順次、記憶手段に記憶させるための録画処理を実行する。そして、記憶手段に記憶された画像を、チャンネル毎に時系列に一覧表示する。【選択図】        図５
2006333342.tif 000002
【特許請求の範囲】
【請求項１】
情報を記憶する記憶手段と、
放送を受信する受信手段と、
前記受信手段が受信する放送のチャンネルを時間経過毎に順次変更させて、対応するチャンネルの画像を、順次、前記記憶手段に記憶させるための録画処理を実行する録画手段と、
前記記憶手段に記憶された画像を、チャンネル毎に時系列に一覧表示する表示手段とを備える、映像受信装置。
【請求項２】
前記表示手段に一覧表示された画像に基づき、チャンネルを選択する選択手段と、
前記選択手段により選択されたチャンネルを、前記受信手段に受信させて前記表示手段に表示させる制御手段とをさらに備える、請求項１に記載の映像受信装置。
【請求項３】
前記制御手段はさらに、前記選択手段により選択されたチャンネルを前記表示手段に表示させている期間、前記録画手段に録画処理の実行を停止させる、請求項２に記載の映像受信装置。
【請求項４】
前記記憶手段は、ユーザの嗜好情報を記憶し、
前記録画手段は、前記嗜好情報に基づいて、前記記憶手段に記憶させる画像の情報量を変化させる、請求項１から請求項３のいずれかに記載の映像受信装置。
【請求項５】
前記嗜好情報は、ユーザが視聴したチャンネルの情報である視聴チャンネル履歴情報を含み、
前記録画手段は、前記視聴チャンネル履歴情報に基づいて、前記記憶手段に記憶させる各チャンネルの画像の情報量を異ならせる、請求項４に記載の映像受信装置。
【請求項６】
前記嗜好情報は、ユーザが視聴した番組の情報である視聴番組履歴情報を含み、
前記録画手段は、前記視聴番組履歴情報に基づいて、前記記憶手段に記憶させる各番組の画像の情報量を異ならせる、請求項４に記載の映像受信装置。
【請求項７】
外部のネットワークと通信する通信手段をさらに備え、
前記嗜好情報は、前記通信手段により取得した通信履歴情報を含み、
前記録画手段は、前記通信履歴情報に基づいて、前記記憶手段に記憶させる各番組の画像の情報量を異ならせる、請求項４に記載の映像受信装置。
【請求項８】
前記嗜好情報は、ユーザ固有のユーザ情報を含み、
前記録画手段は、前記ユーザ情報に基づいて、前記記憶手段に記憶させる各番組の画像の情報量を異ならせる、請求項４に記載の映像受信装置。
【請求項９】
放送された番組データを記憶しているコンテンツサーバと通信する通信手段と、
前記表示手段に前記一覧表示された画像のいずれかを選択するフレーム選択手段と、
前記選択されたフレームに基づいて、前記コンテンツサーバに、前記フレームを含む番組データを要求するためのコンテンツ要求信号を生成するための要求信号生成手段をさらに備え、
前記通信手段は、前記コンテンツサーバへ前記コンテンツ要求信号を送信し、前記フレームを含む番組データを、前記コンテンツサーバから受信する、請求項１に記載の映像受信装置。
【請求項１０】
前記フレーム選択手段は、前記表示手段に前記一覧表示された画像のうち、いずれかのチャンネルに対応する２つの画像を選択し、
前記要求信号生成手段は、前記コンテンツサーバに、前記２つの画像のそれぞれを開始フレームおよび終了フレームとする２フレーム間の番組データを要求するための２フレーム間コンテンツ要求信号を生成し、
前記通信手段は、前記コンテンツサーバへ前記２フレーム間コンテンツ要求信号を送信し、前記２フレーム間の番組データを、前記コンテンツサーバから受信する、請求項９に記載の映像受信装置。
【請求項１１】
前記受信手段が受信する放送は、デジタルＴＶ放送である、請求項１から１０のいずれかに記載の映像受信装置。
【請求項１２】
請求項９に記載の映像受信装置と通信する、放送された番組データを記憶しているコンテンツサーバであって、
前記映像受信装置から、前記コンテンツ要求信号を受信した場合、前記選択されたフレームを含む番組データに基づいた課金情報を算出する算出手段と、
前記課金情報を、前記映像受信装置へ送信する通信手段とを備える、コンテンツサーバ。
【請求項１３】
請求項１０に記載の映像受信装置と通信する、放送された番組データを記憶しているコンテンツサーバであって、
前記映像受信装置から、前記２フレーム間コンテンツ要求信号を受信した場合、前記２フレーム間の番組データに基づいた課金情報を算出する算出手段と、
前記課金情報を、前記映像受信装置へ送信する通信手段とを備える、コンテンツサーバ。
【請求項１４】
請求項９に記載の映像受信装置と請求項１２に記載のコンテンツサーバとから構成される、あるいは請求項１０に記載の映像受信装置と請求項１３に記載のコンテンツサーバとから構成される、コンテンツ配信システム。
【請求項１５】
コンピュータの記憶手段に画像データを記憶させる処理と、コンピュータの表示手段に画像を表示させる処理とをコンピュータに実行させるためのプログラムであって、
放送を受信するステップと、
前記放送を受信するステップにて受信する放送のチャンネルを時間経過毎に順次変更させて、対応するチャンネルの画像を、順次、前記記憶手段に記憶させるための録画処理を実行するステップと、
前記記憶手段に記憶された画像を、コンピュータの表示手段に、チャンネル毎に時系列に一覧表示するステップとを、コンピュータに実行させる、プログラム。
【請求項１６】
前記表示手段に前記一覧表示された画像に基づき、チャンネルを選択するステップと、
前記チャンネルを選択するステップにて選択されたチャンネルを受信し、前記表示手段に表示するステップを含む、請求項１５に記載のプログラム。
【請求項１７】
請求項１５または請求項１６に記載のプログラムを記録した、記録媒体。
【発明の詳細な説明】
【技術分野】
【０００１】
本発明は、映像受信装置、コンピュータを映像受信装置として機能させるためのプログラム、記録媒体、コンテンツサーバおよびコンテンツ配信システムに関し、特に、放送データを受信する映像受信装置、コンピュータを映像受信装置として機能させるためのプログラム、記録媒体、コンテンツサーバおよびコンテンツ配信システムに関する。
【背景技術】
【０００２】
近年、携帯電話において、アナログテレビ放送による番組を視聴可能な機種が普及しつつある。また、近い将来においては、携帯電話で地上デジタル放送（１セグ放送）による番組を視聴可能となるようなサービスも開始される。そのため、近い将来、携帯電話を代表とする携帯端末で、いつでも気軽に番組を視聴するユーザ（視聴者）の増加が見込まれる。
【０００３】
携帯端末に限らず、ユーザがチャンネルを短時間の間に切替えて同一時刻に放送されている番組内容を確認することをザッピングという。このザッピングに関する技術が、特開平１１−３２２７１（特許文献１）、特開２００３−８７６６８（特許文献２）、特開２００４−１２８９４２（特許文献３）に開示されている。
【特許文献１】特開平１１−３２２７１号公報
【特許文献２】特開２００３−８７６６８号公報
【特許文献３】特開２００４−１２８９４２号公報
【発明の開示】
【発明が解決しようとする課題】
【０００４】
携帯端末は、いつでも気軽に番組を視聴できるという利点がある反面、ユーザは、目的遂行または電波受信状態の悪化のため、番組を視聴し続けることは困難な場合も多い。ここで、当該目的とは、たとえば、交通機関の乗換え，買物等である。
【０００５】
また、放送される番組は、ユーザが視聴可能なときに、コマーシャルになる場合もある。したがって、携帯端末で、ザッピングを行なっても、ユーザの興味が高い番組をタイミングよく視聴できない場合も多い。
【０００６】
本発明は、上述の問題点を解決するためになされたものであって、その目的は、複数のチャンネルの番組内容を容易に把握可能な映像受信装置を提供することである。
【０００７】
本発明の他の目的は、複数のチャンネルの番組内容を容易に把握可能なプログラムを提供することである。
【０００８】
本発明のさらに他の目的は、複数のチャンネルの番組内容を容易に把握可能なプログラムを記録した記録媒体を提供することである。
【０００９】
本発明のさらに他の目的は、番組のうち、ユーザが視聴を望む一部分のデータに基づいた課金情報を算出するコンテンツサーバを提供することである。
【００１０】
本発明のさらに他の目的は、映像受信装置にユーザの興味が高い番組を効率よく表示させるコンテンツ配信システムを提供することである。
【課題を解決するための手段】
【００１１】
上述の課題を解決するために、この発明のある局面に従う映像受信装置は、情報を記憶する記憶手段と、放送を受信する受信手段と、受信手段が受信する放送のチャンネルを時間経過毎に順次変更させて、対応するチャンネルの画像を、順次、記憶手段に記憶させるための録画処理を実行する録画手段と、記憶手段に記憶された画像を、チャンネル毎に時系列に一覧表示する表示手段とを備える。
【００１２】
好ましくは、表示手段に一覧表示された画像に基づき、チャンネルを選択する選択手段と、選択手段により選択されたチャンネルを、受信手段に受信させて表示手段に表示させる制御手段とをさらに備える。
【００１３】
好ましくは、制御手段はさらに、選択手段により選択されたチャンネルを表示手段に表示させている期間、録画手段に録画処理の実行を停止させる。
【００１４】
好ましくは、記憶手段は、ユーザの嗜好情報を記憶し、録画手段は、嗜好情報に基づいて、記憶手段に記憶させる画像の情報量を変化させる。
【００１５】
好ましくは、嗜好情報は、ユーザが視聴したチャンネルの情報である視聴チャンネル履歴情報を含み、
録画手段は、視聴チャンネル履歴情報に基づいて、記憶手段に記憶させる各チャンネルの画像の情報量を異ならせる。
【００１６】
好ましくは、嗜好情報は、ユーザが視聴した番組の情報である視聴番組履歴情報を含み、録画手段は、視聴番組履歴情報に基づいて、記憶手段に記憶させる各番組の画像の情報量を異ならせる。
【００１７】
好ましくは、外部のネットワークと通信する通信手段をさらに備え、嗜好情報は、通信手段により取得した通信履歴情報を含み、録画手段は、通信履歴情報に基づいて、記憶手段に記憶させる各番組の画像の情報量を異ならせる。
【００１８】
好ましくは、嗜好情報は、ユーザ固有のユーザ情報を含み、録画手段は、ユーザ情報に基づいて、記憶手段に記憶させる各番組の画像の情報量を異ならせる。
【００１９】
好ましくは、放送された番組データを記憶しているコンテンツサーバと通信する通信手段と、表示手段に一覧表示された画像のいずれかを選択するフレーム選択手段と、選択されたフレームに基づいて、コンテンツサーバに、選択されたフレームを含む番組データを要求するためのコンテンツ要求信号を生成するための要求信号生成手段をさらに備え、通信手段は、コンテンツサーバへコンテンツ要求信号を送信し、選択されたフレームを含む番組データを、コンテンツサーバから受信する。
【００２０】
好ましくは、フレーム選択手段は、表示手段に一覧表示された画像のうち、いずれかのチャンネルに対応する２つの画像を選択し、要求信号生成手段は、コンテンツサーバに、２つの画像のそれぞれを開始フレームおよび終了フレームとする２フレーム間の番組データを要求するための２フレーム間コンテンツ要求信号を生成し、通信手段は、コンテンツサーバへ２フレーム間コンテンツ要求信号を送信し、２フレーム間の番組データを、コンテンツサーバから受信する。
【００２１】
好ましくは、受信手段が受信する放送は、デジタルＴＶ放送である。
この発明の他の局面に従うと、映像受信装置と通信する、放送された番組データを記憶しているコンテンツサーバは、映像受信装置から、コンテンツ要求信号を受信した場合、選択されたフレームを含む番組データに基づいた課金情報を算出する算出手段と、課金情報を、映像受信装置へ送信する通信手段とを備える。
【００２２】
この発明のさらに他の局面に従うと、映像受信装置と通信する、放送された番組データを記憶しているコンテンツサーバは、映像受信装置から、２フレーム間コンテンツ要求信号を受信した場合、２フレーム間の番組データに基づいた課金情報を算出する算出手段と、課金情報を、映像受信装置へ送信する通信手段とを備える。
【００２３】
この発明のさらに他の局面に従うコンテンツ配信システムは、映像受信装置と、コンテンツサーバとから構成される。
【００２４】
コンピュータの記憶手段に画像データを記憶させる処理と、コンピュータの表示手段に画像を表示させる処理とをコンピュータに実行させるためのプログラムは、放送を受信するステップと、放送を受信するステップにて受信する放送のチャンネルを時間経過毎に順次変更させて、対応するチャンネルの画像を、順次、記憶手段に記憶させるための録画処理を実行するステップと、記憶手段に記憶された画像を、コンピュータの表示手段に、チャンネル毎に時系列に一覧表示するステップとを、コンピュータに実行させる。
【００２５】
好ましくは、表示手段に一覧表示された画像に基づき、チャンネルを選択するステップと、チャンネルを選択するステップにて選択されたチャンネルを受信し、表示手段に表示するステップを含む。
【００２６】
この発明のさらに他の局面に従うと、記録媒体は、プログラムを記録した媒体である。
【発明の効果】
【００２７】
本発明に係る映像受信装置は、チャンネルを、時間経過毎に、順次変更させて、対応するチャンネルの画像を、順次、記憶手段に記憶させるための録画処理を実行する。そして、記憶手段に記憶された画像を、チャンネル毎に時系列に一覧表示する。
【００２８】
したがって、複数のチャンネルの番組内容を容易に把握できるという効果を奏する。
本発明に係るコンテンツサーバは、映像受信装置から、コンテンツ要求信号を受信した場合、ユーザにより選択されたフレームを含む番組データに基づいた課金情報を算出し、課金情報を、映像受信装置へ送信する。
【００２９】
したがって、ユーザは、視聴を望む番組を選択し、番組データに基づいた料金を支払うのみでよいため、無駄な支払いを避けることができるという効果を奏する。
【００３０】
本発明に係るコンテンツサーバは、映像受信装置から、２フレーム間コンテンツ要求信号を受信した場合、ユーザにより選択された２つの画像に基づく２フレーム間の番組データに基づいた課金情報を算出し、課金情報を、映像受信装置へ送信する。
【００３１】
したがって、ユーザは、視聴を望む番組の全てに対する料金ではなく、番組の一部分のデータに基づいた料金を支払うのみでよいため、無駄な支払いを避けることができるという効果を奏する。
【００３２】
本発明に係るコンテンツ配信システムは、映像受信装置と、コンテンツサーバとから構成される。コンテンツサーバは、複数種類のチャンネルの各々の画像データを記憶している。映像受信装置は、表示手段に表示された複数の画像のうち、ユーザからの指示に基づいて選択された画像を含む番組データを要求するためのコンテンツ要求信号を生成し、コンテンツサーバへ送信する。コンテンツサーバは、要求された番組データを映像受信装置へ送信する。
【００３３】
したがって、映像受信装置は、ユーザの興味が高い番組を効率よく表示することができるという効果を奏する。また、映像受信装置は、大容量な記憶部を備える必要がなく、コストおよび重量の軽減を図ることができるという効果を奏する。
【００３４】
本発明に係るプログラムは、チャンネルを、時間経過毎に、順次変更させて、対応するチャンネルの画像データを、順次、コンピュータの記憶手段に記憶させるための録画処理をコンピュータに実行させる。そして、記憶手段に記憶された、画像を、コンピュータの表示手段に、チャンネル毎に時系列に一覧表示する処理をコンピュータに実行させる。
【００３５】
したがって、複数のチャンネルの番組内容を容易に把握できるという効果を奏する。
本発明に係る記録媒体は、プログラムを記録する。プログラムは、チャンネルを、時間経過毎に、順次変更させて、対応するチャンネルの画像データを、順次、コンピュータの記憶手段に記憶させるための録画処理をコンピュータに実行させる。そして、記憶手段に記憶された、画像を、コンピュータの表示手段に、チャンネル毎に時系列に一覧表示する処理をコンピュータに実行させる。
【００３６】
したがって、複数のチャンネルの番組内容を容易に把握できるという効果を奏する。
【発明を実施するための最良の形態】
【００３７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３８】
＜第１の実施の形態＞
図１は、本実施の形態における映像受信装置１０００の外観図を示すブロック図である。映像受信装置１０００は、ユーザが、持ち運び可能な携帯端末（たとえば、携帯テレビ、ＰＤＡ（Personal Digital Assistance）、携帯電話等）である。なお、映像受信装置１０００は、携帯端末に限定されることなく、たとえば、据え置き型の装置であってもよい。
【００３９】
図１を参照して、映像受信装置１０００は、表示部１００と、表示部１１０とを備える。
【００４０】
表示部１００は、画像、文字等を表示する機能を有する。表示部１００は、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００４１】
表示部１１０は、表示部１００と同様な表示機器である。なお、表示部１１０は、ユーザが、画面に直接触れることで、情報入力可能なタッチパネル機能を有する。表示部１１０は、表示領域１１０Ａ，１１０Ｂ，１１０Ｃ，１１０Ｄを含む。表示領域１１０Ａ，１１０Ｂ，１１０Ｃ，１１０Ｄは、初期状態では、それぞれ、チャンネルＣ１，Ｃ２，Ｃ３，Ｃ４の番組の画像を表示する。すなわち、表示部１１０は、複数のチャンネルの画像を、サムネイル画像として、同時に表示する機能を有する。
【００４２】
表示領域１１０Ａ，１１０Ｂ，１１０Ｃ，１１０Ｄの各々は、対応するチャンネルの過去の画像を、たとえば、所定時間間隔で、複数毎表示する。表示領域１１０Ａ，１１０Ｂ，１１０Ｃ，１１０Ｄの各々が表示する一覧画像の各々は、静止画像（サムネイル画像）である。なお、表示領域１１０Ａ，１１０Ｂ，１１０Ｃ，１１０Ｄの各々が表示する一覧画像の各々は、動画像であってもよい。
【００４３】
表示領域１１０Ａ，１１０Ｂ，１１０Ｃ，１１０Ｄの各々が表示する一覧画像のうち、一番右側の画像は最新の画像であり、右に向かうにしたがって新しい画像となる。表示領域１１０Ａ，１１０Ｂ，１１０Ｃ，１１０Ｄの各々が、時刻ｔｎに表示する一覧画像は、所定時間経過する毎に、時刻ｔｎの一覧画像を、画像１つ分左にスクロールして表示する。当該スクロールして表示される毎に、表示領域１１０Ａ，１１０Ｂ，１１０Ｃ，１１０Ｄの各々の一番右には、最新の画像が表示される。また、当該シフトして表示される毎に、一番左の画像は表示部１１０上からスクロールアウトして見えなくなる。
【００４４】
表示部１１０には、下スクロールボタン画像１１２Ａと、上スクロールボタン画像１１２Ｂと、右スクロールボタン画像１１２Ｃと、左スクロールボタン画像１１２Ｄとが配置される。
【００４５】
ユーザによる下スクロールボタン画像１１２Ａまたは上スクロールボタン画像１１２Ｂのタッチ操作により、表示領域１１０Ａ，１１０Ｂ，１１０Ｃ，１１０Ｄの各々に表示されるチャンネルの画像はスクロールする。
【００４６】
たとえば、ユーザによる上スクロールボタン画像１１２Ｂのタッチ操作が行なわれると、表示領域１１０Ａ，１１０Ｂ，１１０Ｃ，１１０Ｄには、それぞれ、チャンネルＣ２，Ｃ３，Ｃ４，Ｃ５の番組の画像がスクロールアップして表示される。
【００４７】
ユーザによる右スクロールボタン画像１１２Ｃまたは左スクロールボタン画像１１２Ｄのタッチ操作により、表示領域１１０Ａ，１１０Ｂ，１１０Ｃ，１１０Ｄの各々に表示される一覧画像はスクロールする。
【００４８】
たとえば、ユーザによる左スクロールボタン画像１１２Ｄのタッチ操作が行なわれると、タッチ操作が行なわれた時刻ｔｎに表示領域１１０Ａ，１１０Ｂ，１１０Ｃ，１１０Ｄの各々に表示されていた一覧画像は、左にスクロールして表示される。当該左にスクロールして表示されると、表示領域１１０Ａ，１１０Ｂ，１１０Ｃ，１１０Ｄの各々の一番右には、時刻ｔｎに表示されていた一番右の画像よりも１つ新しい画像が表示される。
【００４９】
映像受信装置１０００は、ユーザが、表示領域１１０Ａ，１１０Ｂ，１１０Ｃ，１１０Ｄのいずれかに表示されている画像をタッチすると、タッチされた画像を、表示部１００へ表示させる機能を有する。ここで、当該タッチされた画像が記録された時刻をｔｓ、画像を取得したチャンネルをＣｎとすると、チャンネルＣｎの時刻ｔｓにおける記憶画像を表示することに相当する。当該記憶画像は、静止画像（サムネイル画像）であっても動画像であっても良い。また、時刻ｔｓではなく、チャンネルＣｎにおいて、現在放送されている画像を表示してもよい。チャンネルＣｎにおいて、現在放送されている画像を表示させるために、チャンネル選択の機能（例えばチャンネル選択ボタン）を別途構成してもよい。
【００５０】
なお、映像受信装置１０００は、表示部１００および表示部１１０の２つの表示部を備える構成に限定されることはない。映像受信装置１０００は、たとえば、１つの表示部（以下、表示部Ａともいう）を備え、表示部Ａが、表示部１１０の構成および機能を有するものであってもよい。そして、ユーザが、表示部Ａに表示されている一覧画像のいずれかをタッチすることで、表示部Ａ全体にタッチされた画像を表示してもよい。
【００５１】
あるいは、当該画像を取得したチャンネルにおいて現在放送されている画像を表示してもよい。また表示部１００の画面と表示部１１０の画面を合成表示したり、もしくは上下に並べて表示したり、もしくは左右に並べて表示するような、単一の表示部の構成であってもよい。また、本実施例においては、複数のチャンネルの一覧画像を表示部１１０に並べて表示しているが、単一のチャンネルの一覧画像のみを表示し、上述のスクロールボタン画像Ａ，Ｂ，Ｃ，Ｄによってチャンネルの切り替えを行なうように構成してもよい。
【００５２】
図２は、映像受信装置１０００の内部の制御構成を示すブロック図である。なお、図２には、説明のために、後述する記録媒体１９５も示している。記録媒体１９５には、後述する制御プログラム１７５が記録されている。すなわち、制御プログラム１７５は、媒体等に記録されてプログラム製品として流通される。
【００５３】
図２を参照して、映像受信装置１０００は、表示部１００と、表示部１１０と、アンテナ１２０と、チューナ１３０と、データ処理部１４０と、著作権保護部１６０と、画像処理部１４５と、ＶＲＡＭ（Video Random Access Memory）１４７と、制御部１５０と、記憶部１７０と、通信部１８０と、記録媒体アクセス部１９０とを備える。
【００５４】
記憶部１７０は、大容量のデータを記憶可能なハードディスクである。なお、記憶部１７０は、ハードディスクに限定されることなく、電源を供給されなくてもデータを保持可能な媒体（たとえば、フラッシュメモリ）、その他、不揮発的にデータを記憶保持可能な構成を有する回路のいずれであってもよい。
【００５５】
記憶部１７０は、データ処理部１４０および制御部１５０に後述する処理を行なわせるための制御プログラム１７５、後述する嗜好情報、その他各種プログラムおよびデータ等が記憶されている。
【００５６】
アンテナ１２０は、無線により、放送データを受信する機能を有する。当該放送データは、たとえば、１セグ放送によるデータであるとする。１セグ放送に含まれる画像データの画像サイズは、たとえば、ＱＶＧＡサイズである。なお、放送データは、１セグ放送に限定されることはなく、たとえば、ＢＳデジタル放送データ、ＣＳデジタル放送データ、地上デジタル放送データのいずれであってもよい。
【００５７】
放送データには、画像データ、音声データ、ＥＰＧ（Electric Program Guide）データおよびデータ放送（ＢＭＬ：Broadcast Markup Language）データ等が含まれる。
【００５８】
アンテナ１２０が受信した放送データは、チューナ１３０へ送信される。チューナ１３０は、受信した放送データを、データ処理部１４０へ送信する。
【００５９】
データ処理部１４０は、チューナ１３０から入力された放送データを、画像データ、音声データ、ＥＰＧデータ、ＢＭＬデータに分離すると共に、圧縮された画像データ、音楽データをデコードする。データ処理部１４０は、後述する制御部１５０の制御指示に応じて、画像データ、音声データを記憶部１７０に記憶させる。またこの時、著作権保護部１６０は、記憶される画像データ、音声データを複製できないよう、コピー制限をかける。たとえば、当該記憶された画像・音声データが、二次利用できないよう、コピーワンス（コピー１世代管理）データとする。もしくは、当該記憶された画像・音声データが、映像受信装置１０００より外部に抜き出せないよう、コピーおよび移動を禁止する。また、データ処理部１４０は、ＥＰＧデータおよびＢＭＬデータを、記憶部１７０に記憶させる。当該ＥＰＧデータおよびＢＭＬデータに関しても、上述と同様、著作権保護部１６０による著作権保護処理が行なわれ、二次利用できないものとする。
【００６０】
データ処理部１４０は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００６１】
著作権保護部１６０は、受信した画像データおよび音声データに対し、著作権保護処理を行なう。著作権保護処理とは、上述の通り、画像データまたは音声データの複製や移動といった二次利用を禁止するための処理である。著作権保護部１６０は、著作権保護処理を行なった画像データおよび音声データ、ＥＰＧデータ、ＢＭＬデータを記憶部１７０に記憶・管理する。
【００６２】
制御部１５０は、記憶部１７０にデータアクセスする。制御部１５０は、記憶部１７０に記憶された制御プログラム１７５に従って、映像受信装置１０００の内部の各部に対する各種処理や、演算処理等を行なう機能を有する。
【００６３】
なお、映像受信装置１０００は、制御部１５０が、前述の著作権保護部１６０の処理を行なうよう、構成されていてもよい。
【００６４】
制御部１５０およびデータ処理部１４０は、記憶部１７０に記憶された制御プログラム１７５に従って、画像処理部１４５に対し、画像を生成させ、当該画像を表示部１００，１１０に表示させる指示（以下においては、「描画指示」とも称する）をだす。
【００６５】
画像処理部１４５は、表示部１００および表示部１１０と接続されている。画像処理部１４５は、制御部１５０またはデータ処理部１４０からの描画指示に応じて、ＶＲＡＭ１４７を利用して画像を一時記憶する。そして、画像処理部１４５は、ＶＲＡＭ１４７に記憶された画像データを読出し、表示部１００および表示部１１０の少なくとも一方に、当該画像データに基づく画像を表示させる。
【００６６】
表示部１１０は、ユーザからのタッチ操作があると、タッチ操作情報を制御部１５０へ送信する。
【００６７】
通信部１８０は、制御部１５０およびネットワーク１８５とデータの授受を行なう。ネットワーク１８５は、インターネットなどの外部のネットワークである。通信部１８０は、イーサネット（登録商標）を利用した通信用インターフェースである。また、通信部１８０と、ネットワーク１８５とは、無線または有線でデータの送受信を行なう。当該有線とは、たとえば、電話線、ＬＡＮ（Local Area Network）ケーブル、光ファイバケーブル等である。
【００６８】
したがって、本実施の形態における映像受信装置１０００は、ネットワーク１８５から、通信部１８０を介して、プログラムのダウンロード処理を行ない、記憶部１７０に格納することもできる。この場合、当該ダウンロードしたプログラムは、制御プログラム１７５である。
【００６９】
また、通信部１８０は、ネットワーク１８５から、たとえば、ストリーミング配信により圧縮された画像データを受信する。制御部１５０は、通信部１８０が受信した画像データをデータ処理部１４０を介してデコードし、記憶部１７０に記憶させる。この時、配信されたデータに対し、著作権保護部１６０によるコピー制限をかけてもよい。
【００７０】
制御部１５０は、ネットワーク１５０からダウンロードしたプログラム（制御プログラム１７５）に従って、所定の処理を行なう。このダウンロード用プログラムは、予め、記憶部１７０に格納されており、ダウンロード処理は、制御部１５０が、ダウンロード用プログラムに基づいて行なう。
【００７１】
記録媒体アクセス部１９０は、制御プログラム１７５が記録された記録媒体１９５から、制御プログラム１７５を読出す機能を有する。記録媒体１９５に記憶されている制御プログラム１７５は、制御部１５０の動作（インストール処理）により、記録媒体アクセス部１９０から読み出され、記憶部１７０に記憶される。
【００７２】
このインストール処理用プログラムは、予め、記憶部１７０に格納されており、インストール処理は、制御部１５０が、インストール処理用プログラムに基づいて行なう。
【００７３】
なお、記憶部１７０には、制御プログラム１７５がインストールされていなくてもよい。この場合、制御部１５０は、記録媒体アクセス部１９０を介して、記録媒体１９５に記憶された制御プログラム１７５を読み出して、制御プログラム１７５に基づいた所定の処理を行なう。
【００７４】
記録媒体１９５は、ＤＶＤ−ＲＯＭ（Digital Versatile Disk Read Only Memory）、ＣＤ−ＲＯＭ（Compact Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープ、その他不揮発性メモリのいずれであってもよい。
【００７５】
本実施の形態では、画像データ、情報データ、その他各種データを、記憶部１７０の代わりに、記録媒体アクセス部１９０を利用して、記録媒体１９５に記録させてもよい。
【００７６】
次に、映像受信装置１０００で行なわれる処理について説明する。
図３は、映像受信装置１０００で行なわれる処理のフローチャートである。映像受信装置１０００は、主電源がオンの間で、かつ、ユーザが視聴を行なわないときには、スリープモードで動作する。スリープモードとは、表示部１００，１１０に画像を表示させないで、映像受信装置１０００を低消費電力で動作させるモードである。以下に説明する処理は、最初、映像受信装置１０００がスリープモードであるとして行なわれる。
【００７７】
図３を参照して、ステップＳ１２０では、キャプチャ処理が行なわれる。ただし、当該キャプチャ処理は、当該スリープモードの期間、継続して行なわれるものとする。ただし、この場合、後述する図５におけるステップＳ１２３Ａの一覧画像表示処理は行なわれていない状態となる。ステップＳ１３０の画像表示処理Ａは、ユーザが放送番組の視聴を行なうための処理が行なわれる。当該画像表示処理Ａの内容については後述する。
【００７８】
ステップＳ１４０では、当該画像表示処理Ａの状態からステップＳ１２０のキャプチャ処理もしくはスリープモードへの移行をユーザが指示したかどうかを判断する。移行する場合は、ステップＳ１２０の処理を繰り返す。移行しない場合は、ステップＳ１５０で電源をオフしない限り、ステップＳ１３０の画像表示処理Ａを繰り返す。Ｓ１４０における判断処理については、ユーザが、図示されない別の切替え手段、例えば、映像受信装置１０００において構成される、切替えスイッチ等を用いて行ってもよい。
【００７９】
ステップＳ１５０は、映像受信装置１０００の電源をユーザがオフしたかどうかどうかを判断する。電源をオフした場合は、全ての処理を終了する。そうでない場合は、ステップＳ１３０の画像表示処理Ａを繰り返す。
【００８０】
図４は、本実施の形態におけるキャプチャ処理を説明するための図である。図４は、説明を簡単にするために、チャンネルＣ１〜Ｃ４の４つのチャンネルにおけるキャプチャ処理を説明するための図となっている。
【００８１】
図４を参照して、時刻ｔ０〜時刻ｔｍの間の期間ＴＣ１内の四角は、対応するチャンネルの放送データが記憶部１７０に記憶されている期間を示す。本実施の形態では、所定時間の間隔で、チャンネルが切替えられる。そして、切替えられたチャンネルのデータが、所定時間、記憶部１７０に記憶される。時刻ｔｍは、ユーザが、表示部１００において、たとえば、チャンネルＣ３の現在放送中の画像を視聴し始めた時刻である。この場合、時刻ｔｍ以降は、記憶部１７０に全てのチャンネルのデータが記憶される処理は行なわれない。以下、詳細に説明する。
【００８２】
時刻ｔ０〜ｔ１の間は、チャンネルＣ１の画像データおよび音声データが記憶部１７０に記憶される。時刻ｔ１〜ｔ２の間は、チャンネルＣ２の画像データおよび音声データが記憶部１７０に記憶される。時刻ｔ２〜ｔ３の間は、チャンネルＣ３の画像データおよび音声データが記憶部１７０に記憶される。時刻ｔ３〜ｔ４の間は、チャンネルＣ４の画像データおよび音声データが記憶部１７０に記憶される。なお、各チャンネルのデータが連続して記憶される期間は同じである。
【００８３】
時刻ｔ０〜時刻ｔ４の期間を期間Ｔ１とすると、期間Ｔ１で行なわれている処理が、時刻ｔ４以後繰り返される。また、チャンネルＣ１，Ｃ２，Ｃ３，Ｃ４の各々のデータが記憶部１７０に記憶される期間の間隔は、期間Ｔ０であるとする。したがって、チャンネルＣ１，Ｃ２，Ｃ３，Ｃ４の各々のデータは、期間Ｔ０間隔毎に、所定時間、記憶部１７０に記憶される。記憶部１７０に記憶されるチャンネルの画像データは、動画像または静止画像（サムネイル画像）のデータのいずれであってもよい。
【００８４】
静止画像のデータが、記憶部１７０に記憶される場合は、所定時間のうち、切替えられたチャンネルの、任意の時刻の１フレームの画像データが記憶部１７０に記憶される。
【００８５】
図５は、本実施の形態における、キャプチャ処理のフローチャートである。
図５を参照して、ステップＳ１２１では、制御部１５０が、チャンネル特定変数ｎに１を設定する。チャンネル特定変数ｎは、チューナー１３０のチャンネル切替えを特定するための変数である。その後、ステップＳ１２２に進む。
【００８６】
ステップＳ１２２では、チャンネルＣｎの後述する録画処理が開始される。たとえば、チャンネル特定変数が“１”の場合、チャンネルＣ１の録画処理が開始される。
【００８７】
具体的には、制御部１５０が、記憶部１７０に、チャンネルＣｎの画像データおよび音声データを記憶開始させるためのキャプチャ開始指示を、データ処理部１４０へ送信する。
【００８８】
データ処理部１４０は、受信したキャプチャ開始指示に基づいて、チューナ１３０から受信しているチャンネルＣｎの画像データおよび音声データをデコードし、記憶部１７０に送信する。当該送信は、後述するキャプチャ終了指示を承認するか、または、番組終了によりキャプチャ処理が終了するまで継続する。著作権保護部１６０は、記憶部１７０に記憶される画像データ、音声データに対し、著作権保護処理行なう。その後、ステップＳ１２３に進む。
【００８９】
ステップＳ１２３では、視聴開始操作があるか否かが判定される。視聴開始操作は、たとえば、ユーザによる表示部１１０の任意部分のタッチ操作、映像受信装置１０００の図示しないボタンをユーザが押下する操作等である。具体的には、制御部１５０が、ユーザが表示部１１０をタッチ操作することにより、表示部１１０からタッチ操作情報を受信したか否かを判定する。ステップＳ１２３において、ＹＥＳならば、ステップＳ１２３Ａに進む。一方、ステップＳ１２３において、ＮＯならば、ステップＳ１２３Ｂに進む
ステップＳ１２３Ａでは、一覧画像表示処理が行なわれる。初めて、ステップＳ１２３Ａの処理が行なわれる場合、制御部１５０が、記憶部１７０に記憶されている全てのチャンネルのうち、例えばチャンネルＣ１〜Ｃ４の画像データを読出すための制御指示をデータ処理部１４０に送信する。
【００９０】
データ処理部１４０は、受信した制御指示に応じて、記憶部１７０から、チャンネルＣ１〜Ｃ４の画像データを読出す。データ処理部１４０は、表示部１１０に、図１のように各チャンネルの画像データを表示させるための描画指示およびチャンネルＣ１〜Ｃ４の画像データを、画像処理部１４５へ送信する。
【００９１】
画像処理部１４５は、描画指示に基づいて、図１のように各チャンネルの画像データを表示させる。なお、記憶部１７０に、チャンネルＣ１〜Ｃ４の画像データのうち、たとえば、チャンネルＣ１の画像データしか記憶されていない場合は、表示部１１０には、チャンネルＣ１のみの画像を表示させる。
【００９２】
ステップＳ１２３Ａの処理が、初めて行なわれるのでないときは、表示部１１０の表示領域１１０Ａ，１１０Ｂ，１１０Ｃ，１１０Ｄの各々が、前回のステップＳ１２３Ａの処理により表示した一覧画像を画像１つ分左にスクロールして表示するよう、制御部１５０、データ処理部１４０、画像処理部１４０は動作する。この場合、表示領域１１０Ａ，１１０Ｂ，１１０Ｃ，１１０Ｄの各々の一番右には、制御部１５０が、各チャンネルの最新の画像データを記憶部１７０から読出して、当該最新の画像が表示される。また、当該スクロールして表示される毎に、当該表示された一覧画像のうち、一番左の画像はスクロールアウトして見えなくなる。その後、ステップＳ１２３Ｂに進む。
【００９３】
ステップＳ１２３Ｂでは、視聴チャンネル指示操作があるか否かが判定される。具体的には、制御部１５０が、ユーザが、表示領域１１０Ａ，１１０Ｂ，１１０Ｃ，１１０Ｄの各々に表示されている一覧画像のうち、任意の画像をタッチ操作したか否かが判定される。ステップＳ１２３Ｂにおいて、ＹＥＳならば、このキャプチャ処理は終了して（図４の時刻ｔｍに対応）、図３の処理に戻り、ステップＳ１２０の次のステップＳ１３０に進む。一方、ステップＳ１２３Ｂにおいて、ＮＯならば、ステップＳ１２４に進む。
【００９４】
ステップＳ１２４では、制御部１５０が、記憶部１７０のデータを記憶可能な領域が所定領域（たとえば、１Ｇバイトのデータを記憶する領域）以下であるか否かを判定する。ステップＳ１２４において、ＹＥＳならば、ステップＳ１２４Ａに進む。一方、ステップＳ１２４において、ＮＯならば、ステップＳ１２５に進む。
【００９５】
ステップＳ１２４Ａでは、制御部１５０が、記憶部１７０に記憶されているチャンネルＣｎの最も古いデータを削除する。削除されるデータの一例としては、１つの番組に対応するデータである。また、削除されるデータの一例としては、所定時間（たとえば、６０分）分のデータである。
【００９６】
なお、制御部１５０が、１つの番組に対応するデータを削除する場合、当該削除するデータにおける任意の位置の１フレームを静止画像（サムネイル画像）として記憶部１７０に記憶して残しておいてもよい。その後、ステップＳ１２５に進む。
【００９７】
ステップＳ１２５は、制御部１５０が、チャンネルＣｎの録画処理が開始されてから所定時間（たとえば、１０秒）経過したか否かを判定する。ステップＳ１２５において、ＹＥＳならば、ステップＳ１２５Ａに進む。一方、ステップＳ１２５において、ＮＯならば、再度、ステップＳ１２３の処理が行なわれる。
【００９８】
ステップＳ１２５Ａでは、チャンネルＣｎの録画処理が終了される。たとえば、チャンネル特定変数ｎが“１”の場合、チャンネルＣ１の録画処理が終了される。
【００９９】
具体的には、制御部１５０が、録画処理を終了させるためのキャプチャ終了指示を、データ処理部１４０へ送信する。データ処理部１４０は、受信したキャプチャ終了指示に基づいて、チューナ１３０から受信しているチャンネルＣｎの画像データおよび音声データを記憶部１７０へ送信する処理を中止する。その後、ステップＳ１２５Ｂに進む。
【０１００】
ステップＳ１２５Ｂでは、制御部１５０が、チャンネル特定変数ｎを１インクリメントする。その後、ステップＳ１２６に進む。
【０１０１】
ステップＳ１２６では、制御部１５０が、チャンネル特定変数ｎが、最大チャンネル数（たとえば、１２）より大きいか否かを判定する。最大チャンネル数とは、映像受信装置１０００が、受信可能な放送局のチャンネル数である。ステップＳ１２６において、ＹＥＳならば、ステップＳ１２７に進む。一方、ステップＳ１２６において、ＮＯならば、再度、ステップＳ１２２の処理が繰り返される。
【０１０２】
ステップＳ１２７では、制御部１５０が、チャンネル特定変数ｎに１を設定する。その後、再度、ステップＳ１２２の処理が繰り返される。
【０１０３】
再び、図３を参照して、前述のステップＳ１２３Ｂにおいて、ＹＥＳならば、このキャプチャ処理は終了して、図３の処理に戻り、ステップＳ１２０の次のステップＳ１３０に進む。
【０１０４】
ステップＳ１３０では、画像表示処理Ａが行なわれる。画像表示処理Ａでは、制御部１５０が、ステップＳ１２３Ｂの処理によりユーザがタッチ操作した画像もしくは、当該画像に対応するチャンネル情報（たとえば、チャンネルＣ３）を、データ処理部１４０へ送信する。データ処理部１４０は、タッチされた画像が記憶された時刻ｔｓの画像データもしくは、当該チャンネルにおける現在放送中の画像データを表示部１００に表示させる描画指示を、画像処理部１４５へ送信する。
【０１０５】
画像処理部１４５は、受信した描画指示およびチャンネルの画像データに基づき、表示部１００に時刻ｔｓにおける記憶画像を表示させる。あるいは、現在放送中の画像を表示させる（図４の時刻ｔｍ以降参照）。ステップＳ１３０からスリープモードへ移行する場合は、上述した通り、図示されない別の切替えスイッチ等を用いて行なうものとする。スリープモードにおいては、Ｓ１２０およびＳ１２１〜Ｓ１２７のキャプチャ処理が繰り返されるものとする。
【０１０６】
以上説明したように、本実施の形態における処理により、ユーザは、表示部１１０に表示された、複数のチャンネルの各々の、所定時間間隔毎の複数の画像を参照することで、各チャンネルの番組内容を容易に把握することができるという効果を奏する。
【０１０７】
また、本実施の形態では、表示部１１０に、複数のチャンネルの一覧画像を表示させるために、１つのチューナで、所定時間の間隔でチャンネルを切替えながら録画処理する。したがって、本実施の形態における映像受信装置１０００は、複数のチューナを用いる装置よりも、複数のチャンネルの録画処理を、低コストで実現できるという効果を奏する。
【０１０８】
また、本実施の形態では、ユーザが、あるチャンネルの現在放送中の番組を表示部１００で視聴している間は、放送データを録画処理しないので、記憶部１７０の記憶領域の無駄な消費を防ぐことができる。
【０１０９】
＜第２の実施の形態＞
次に、嗜好情報に基づいて、映像受信装置１０００が行なう処理について説明する。嗜好情報は、ユーザが所定期間（たとえば、１ヶ月）、映像受信装置１０００を使用することによって映像受信装置１０００が生成または取得する情報である。嗜好情報は、記憶部１７０に記憶される。
【０１１０】
図６は、嗜好情報の構成を示す図である。
図６を参照して、嗜好情報は、視聴履歴情報、通信履歴情報、ユーザ情報を含む。
【０１１１】
視聴履歴情報は、ユーザが、表示部１００で視聴した番組に関する情報である。視聴履歴情報は、たとえば、放送時間、放送時間帯、放送局（チャンネル）、カテゴリ、番組タイトル、視聴時間、出演者、製作者（監督、脚本家、音楽製作者）等を含む。カテゴリには、たとえば、ニュース、スポーツ、ドラマ、映画、音楽、バラエティ、情報、教養、アニメ特撮、演劇、趣味、福祉等がある。
【０１１２】
通信履歴情報は、ユーザがネットワーク１８５にアクセスして得られた情報である。通信履歴情報は、たとえば、メール履歴情報、チャット履歴情報、ウエブ閲覧履歴情報、ネットショッピング履歴情報等を含む。
【０１１３】
ユーザ情報は、たとえば、氏名、年齢、趣味、職業、住所等のユーザ固有の情報を含む。
【０１１４】
次に、複数の視聴履歴情報から構成される視聴履歴情報データテーブルについて説明する。
【０１１５】
図７は、一例としての視聴履歴情報データテーブルＴ１００を示す図である。
図７を参照して、視聴履歴情報データテーブルＴ１００は、複数の視聴履歴情報データから構成される。各視聴履歴情報は、番組のＥＰＧデータに基づいて生成される。
【０１１６】
次に、視聴履歴情報データテーブルＴ１００を生成するための処理について説明する。
映像受信装置１０００の制御部１５０は、所定期間（たとえば、１ヶ月）、ユーザが表示部１００で視聴した番組（以下、視聴番組ともいう）のＥＰＧデータ、視聴番組の視聴時間等に基づいて、視聴履歴情報データテーブルＴ１００を生成する。視聴履歴情報データテーブルＴ１００に含まれる各視聴履歴情報データは、常に所定期間分保持される。所的期間を過ぎた古いデータは、制御部１５０が、記憶部１７０から削除する。
【０１１７】
次に、視聴履歴情報データテーブルＴ１００を利用した集計処理について説明する。
集計処理の一例としては、視聴履歴情報データテーブルＴ１００を利用したカテゴリの集計がある。なお、集積されたカテゴリのデータは、記憶部１７０に記憶される。
【０１１８】
図８は、一例としての視聴履歴情報データテーブルＴ１００を利用したカテゴリの集計状態を示す図である。視聴履歴情報データテーブルＴ１００に含まれる視聴履歴情報データの数は、たとえば、１００個であるとする。
【０１１９】
図８は、１００個の視聴履歴情報データのうち、各カテゴリの数の頻度をグラフ化したものである。図８の横軸はカテゴリ、縦軸は頻度を示す。たとえば、当該頻度に基づき、５段階評価で、最も視聴の割合が多かったカテゴリを優先度“５”とし、最も視聴の割合が低かったカテゴリを優先度“１”とする。たとえば、カテゴリが音楽である場合、優先度は“５”である。たとえば、カテゴリが演劇である場合、優先度は“１”である。
【０１２０】
ここで、優先度とは、値が大きい程、本実施の形態において、該当する項目（たとえば、カテゴリ）の番組を、映像受信装置１０００が優先して録画処理するために使用される値である。
【０１２１】
集計処理の他の一例としては、視聴履歴情報データテーブルＴ１００を利用したチャンネルの集計がある。なお、集積されたチャンネルのデータは、記憶部１７０に記憶される。
【０１２２】
図９は、一例としての視聴履歴情報データテーブルＴ１００を利用したチャンネルの集計状態を示す図である。視聴履歴情報データテーブルＴ１００に含まれる視聴履歴情報データの数は、たとえば、１００個であるとする。
【０１２３】
図９は、１００個の視聴履歴情報データのうち、各チャンネルの数の頻度をグラフ化したものである。この場合、たとえば、チャンネルＣ８の優先度は“５”である。また、たとえば、チャンネルＣ５の優先度は“１”である。
【０１２４】
集計処理の他の一例としては、前述のカテゴリまたはチャンネルの集計処理が、時間帯、番組のタイトル、出演者または製作者に対して行なわれてもよい。
【０１２５】
集計処理の他の一例としては、視聴履歴情報データテーブルＴ１００に含まれる視聴履歴情報データの視聴時間を利用したものであってもよい。具体的には、番組を視聴した時間（たとえば、１６分）を、当該視聴した番組の総放送時間（たとえば、６０分）で除算することによって１つの番組の視聴の割合（以下、番組視聴割合ともいう）を算出する。番組視聴割合が高い番組ほど、ユーザが好む番組であるということになる。
【０１２６】
集計処理の他の一例としては、番組のタイトルに含まれる文字列の出現率を計算する処理である。
【０１２７】
集計処理の他の一例としては、上記の集計処理で算出された値を、任意の比率で組み合わせることにより優先度を算出する処理である。
【０１２８】
集計処理の他の一例としては、通信履歴情報に含まれる、たとえば、ウエブ閲覧履歴情報に含まれる文字列の出現率を計算する処理である。当該出現率に基づいて、たとえば、チャンネルまたは番組の優先度を算出する。
【０１２９】
集計処理の他の一例としては、ユーザ情報に含まれる、たとえば、趣味に対応するカテゴリの番組の出現率を計算する処理である。当該出現率に基づいて、たとえば、チャンネルまたは番組の優先度を算出する。
【０１３０】
以上の集計処理により集計されたデータ（優先度のデータ）は、記憶部１７０に記憶される。
【０１３１】
本実施の形態では、嗜好情報に基づいて、実施の形態１で説明した録画処理の条件を変化させる。嗜好情報は、視聴履歴情報、通信履歴情報、ユーザ情報を含む。すなわち、本実施の形態では、視聴履歴情報、通信履歴情報およびユーザ情報の少なくとも１つまたはその組合わせの情報に基づいて、録画処理の条件を変化させる。以下、その一例について説明する。
【０１３２】
以下の処理では、たとえば、視聴履歴情報に基づいて、録画処理の条件を変化させる。具体的には、視聴履歴情報に基づいて集計処理された、たとえば、カテゴリの優先度に基づいて、録画処理の条件を変化させる。
【０１３３】
図１０は、集計処理されたデータに基づいて、ＥＰＧデータと、優先度を対応づけた番組一覧データＤ２００である。
【０１３４】
図１０を参照して、番組一覧データＤ２００は、視聴履歴情報データテーブルＴ１００に基づいてカテゴリを集計した図８のグラフのデータに基づく優先度を利用して、制御部１５０が、記憶部１７０に記憶されているＥＰＧデータと、ＥＰＧデータに含まれる各番組情報と、優先度とを対応づけたデータである。番組一覧データＤ２００は、記憶部１７０に記憶される。
【０１３５】
たとえば、チャンネルＣ１の１４時から始まる、カテゴリがニュースである番組は、優先度は“３”である。たとえば、チャンネルＣ４の１４時から始まる、カテゴリが映画である番組は、優先度は“４”である。
【０１３６】
本実施の形態では、所定時間間隔でチャンネルが切替えらながら、録画処理が行なわれる。録画処理は、優先度に応じて、録画条件が変化させられる。当該録画条件とは、録画処理する動画フレーム数（ｆｐｓ）、画像の縦横サイズ（ｄｏｔ）、画質（圧縮率，ビットレート）、音質（圧縮率，ビットレート）等などである。
【０１３７】
次に、本実施の形態において映像受信装置１０００で行なわれる処理について説明する。
【０１３８】
図１１は、本実施の形態において映像受信装置１０００で行なわれる処理のフローチャートである。映像受信装置１０００は、主電源がオンの間で、かつ、ユーザが視聴を行なわないときは、前述したスリープモードで動作する。以下に説明する処理は、最初、映像受信装置１０００がスリープモードであるとして行なわれる。
【０１３９】
図１１を参照して、ステップＳ２１０では、ある期間（たとえば、１２時〜１３時）の優先度データの読出しが行なわれる。具体的には、制御部１５０が、記憶部１７０から番組一覧データＤ２００を読み出す。そして、制御部１５０は、番組一覧データＤ２００に含まれる、ある期間（たとえば、１２時〜１３時）における、各チャンネルの優先度データを読み出す。その後、ステップＳ２１２に進む。
【０１４０】
ステップＳ２１２では、制御部１５０が、読み出した、ある期間のチャンネルの優先度データに基づいて、各チャンネル毎に録画開始時刻を算出する。制御部１５０は、算出した各チャンネル毎の録画開始時刻のデータを、記憶部１７０に記憶させる。その後、ステップＳ２２０に進む。
【０１４１】
ステップＳ２２０では、キャプチャ処理Ｂが行なわれる。
図１２は、本実施の形態における、録画開始時刻の算出およびキャプチャ処理Ｂを説明するための図である。図１２は、説明を簡単にするために、チャンネルＣ１〜Ｃ４の４つのチャンネルにおける録画開始時刻の算出およびキャプチャ処理Ｂを説明するための図となっている。
【０１４２】
図１２を参照して、図４と同様、時刻ｔ０〜時刻ｔｍの間の期間ＴＣ１内の四角は、対応するチャンネルの放送データが記憶部１７０に記憶される期間を示す。時刻ｔｍは、ユーザが、表示部１００において、たとえば、チャンネルＣ３の現在放送中の画像を視聴し始めた時刻である。この場合、時刻ｔｍ以降は、記憶部１７０に全てのチャンネルのデータが記憶される処理は行なわれない。
【０１４３】
本実施の形態では、番組一覧データＤ２００に含まれる優先度のデータに基づいて、各チャンネルを録画処理する時間が異なるよう設定される。具体的には、優先度が大きい程、対応する各チャンネルの番組の画像および音声データの情報量は、記憶部１７０に多く記憶されることになる。
【０１４４】
優先度が５の番組（チャンネル）は、所定期間において、記憶部１７０に記憶されるデータ量が最も大きい。すなわち、所定期間において、記憶部１７０に記憶される番組（チャンネル）の画像のフレーム数が最も多いのは、優先度が５の番組である。優先度が１の番組（チャンネル）は、所定期間において、記憶部１７０に記憶されるデータ量が最も小さい。すなわち、所定期間において、記憶部１７０に記憶される番組（チャンネル）の画像のフレーム数が最も少ないのは、優先度が１の番組である。
【０１４５】
なお、記憶部１７０に記憶される番組（チャンネル）の画像データは、動画像または静止画像（サムネイル画像）のいずれであってもよい。静止画像が、記憶部１７０に記憶される場合は、所定時間のうち、切替えられたチャンネルの、任意の時刻の１フレームの画像データが記憶部１７０に記憶される。
【０１４６】
図１２は、キャプチャ処理Ｂが行なわれる時刻をｔ０とし、期間ＴＣ１（たとえば、１２時〜１３時）における、チャンネルＣ１，Ｃ２，Ｃ３，Ｃ４の優先度が、それぞれ、“４”、“５”、“３”、“３”である場合における、録画開始時刻の算出およびキャプチャ処理Ｂを説明するための図である。
【０１４７】
この場合、期間ＴＣ１において、チャンネルＣ２の番組が記憶される期間の間隔は他のチャンネルに比べ最も短い。すなわち、期間ＴＣ１において、記憶部１７０に記憶されるデータ量が最も多いのは、優先度が５のチャンネルＣ２の番組である。なお、前述のステップＳ２１２で算出されるチャンネルＣ２の録画開始時刻は、時刻ｔ１、時刻ｔ３、・・・となる。
【０１４８】
また、期間ＴＣ１において、チャンネルＣ３およびＣ４の番組が記憶される期間の間隔は他のチャンネルに比べ最も長い。すなわち、期間ＴＣ１において、記憶部１７０に記憶されるデータ量が最も小さいのは、優先度が３のチャンネルＣ３およびＣ４の番組である。なお、前述のステップＳ２１２で算出されるチャンネルＣ３の録画開始時刻は、時刻ｔ２、時刻ｔ６、・・・となる。また、前述のステップＳ２１２で算出されるチャンネルＣ４の録画開始時刻は、時刻ｔ５、・・・となる。また、前述のステップＳ２１２で算出されるチャンネルＣ１の録画開始時刻は、時刻ｔ０、時刻ｔ４、・・・となる。
【０１４９】
なお、優先度が１のチャンネルの番組は、全く録画処理されないのではなく、チャンネルＣ３，Ｃ４よりも録画処理される期間の間隔がさらに長くなる。
【０１５０】
図１３は、本実施の形態における、キャプチャ処理Ｂのフローチャートである。
図１３を参照して、ステップＳ２２１では、録画開始時刻となったチャンネルがあるか否かが判定される。具体的には、制御部１５０が、記憶部１７０に設けられているタイマカウンタの情報を読み出すことにより現在の時刻を取得する。タイマカウンタは、現在の時刻を示すものである。タイマカウンタは、本処理とは別に、映像受信装置１０００の主電源がオン、オフに関わらず、図示されない制御部によって常に更新されている。
【０１５１】
そして、制御部１５０は、全てのチャンネルの録画開始時刻のデータを、記憶部１７０から読み出す。そして、制御部１５０は、読み出した、全てのチャンネルの録画開始時刻のデータのうち、取得した現在の時刻と一致するデータがあるか否かを判定する。ステップＳ２２１において、ＹＥＳならば、ステップＳ２２２に進む。一方、ステップＳ２２１において、ＮＯならば、ステップＳ２２３に進む。
【０１５２】
ステップＳ２２２では、制御部１５０が、記憶部１７０に記憶されている録画処理フラグをオンに設定する。録画処理フラグは、録画開始時刻となったチャンネルについて前述の録画処理を行なうか否かのフラグである。録画処理フラグは、初期状態ではオフに設定されている。録画処理フラグがオンに設定されると、録画処理フラグがオフに設定されるまで、録画処理が行なわれる。その後、ステップＳ２２２Ａに進む。
【０１５３】
ステップＳ２２２Ａでは、制御部１５０が、データ処理部１４０に対し、録画処理するチャンネルを、録画開始時刻となったチャンネルに切替えるための制御指示を送信する。データ処理部１４０は、録画処理フラグがオンの場合のみ、受信した制御指示に基づいて、録画開始時刻となったチャンネルの録画処理を行なう。その後、ステップＳ２２３に進む。
【０１５４】
ステップＳ２２３では、視聴開始操作があるか否かが判定される。ステップＳ２２３の処理は、前述のステップＳ１２３と同様な処理が行なわれるので詳細な説明は繰り返さない。ステップＳ２２３において、ＹＥＳならば、ステップＳ２２３Ａに進む。一方、ステップＳ２２３において、ＮＯならば、ステップＳ２２３Ｂに進む。
【０１５５】
ステップＳ２２３Ａでは、一覧画像表示処理Ｂ１が行なわれる。初めて、ステップＳ２２３Ａの処理が行なわれる場合、一覧画像表示処理Ｂ１では、制御部１５０が、記憶部１７０に記憶されている全てのチャンネルのうち、優先度に応じて、たとえばチャンネルＣ１〜Ｃ４の画像データを読出すための制御指示をデータ処理部１４０に送信する。本実施の形態では、チャンネルの優先度が高いほど、当該チャンネルの読み出す画像の枚数は多くなる。チャンネルの優先度が５の場合は、当該チャンネルの読み出す画像は、たとえば、所定期間毎の５枚の画像とする。チャンネルの優先度が１の場合は、当該チャンネルの読み出す画像の枚数は、たとえば、１枚とする。
【０１５６】
データ処理部１４０は、受信した制御指示に応じて、記憶部１７０から、チャンネルＣ１〜Ｃ４の画像データを読出す。データ処理部１４０は、表示部１１０に、図１のように各チャンネルの画像データを表示させるための描画指示およびチャンネルＣ１〜Ｃ４の画像データを、画像処理部１４５へ送信する。
【０１５７】
画像処理部１４５は、描画指示に基づいて、図１のように各チャンネルの画像データを一覧表示させる。なお、記憶部１７０に、チャンネルＣ１〜Ｃ４の画像データのうち、たとえば、チャンネルＣ１の画像データしか記憶されていない場合は、表示部１１０には、チャンネルＣ１のみの画像を表示させる。
【０１５８】
ステップＳ２２３Ａの処理が、初めて行なわれるのでないときは、表示部１１０の表示領域１１０Ａ，１１０Ｂ，１１０Ｃ，１１０Ｄの各々が、前回のステップＳ２２３Ａの処理により表示した一覧画像を、優先度に応じて、画像ｓ（自然数）個分左にスクロールして表示するよう、制御部１５０、データ処理部１４０、画像処理部１４０は動作する。
【０１５９】
たとえば、チャンネルの優先度が５の場合、記憶部１７０に記憶されている当該チャンネルの画像データ量は多いので、ｓを１とする。また、チャンネルの優先度が１の場合、記憶部１７０に記憶されているチャンネルの画像データ量は少ないので、ｓを５とする。すなわち、各チャンネルの優先度の値により、表示部１１０の各チャンネル間で、当該一覧画像の相対位置（時刻）にずれが生じないよう表示位置を調整する。
【０１６０】
すなわち、表示領域１１０Ａ，１１０Ｂ，１１０Ｃ，１１０Ｄの各々において、当該スクロール間隔に差異がある場合には、制御部１５０が、空白もしくは真黒な画像を表示するなどして表示位置を調整する。また、当該表示画像は、時間毎に表示が左にスクロールしていくので、左端の画像からスクロールアウトして、表示部１１０からは見えなくなる。
【０１６１】
以上の処理により、チャンネルの優先度が高いほど、当該チャンネルに対応する画像は、頻繁に変更されることになる。したがって、ユーザの興味が高いチャンネルの番組ほど、所定時間（たとえば、３０分）において、表示部１１０に表示される画像の枚数が多くなる。その後、ステップＳ２２３Ｂに進む。
【０１６２】
ステップＳ２２３Ｂでは、視聴チャンネル指示操作があるか否かが判定される。ステップＳ２２３Ｂの処理は、前述のステップＳ１２３Ｂの処理と同様な処理が行なわれるので、詳細な説明は繰り返さない。ステップＳ２２３Ｂにおいて、ＹＥＳならば、後述するステップＳ２２９に進む。一方、ステップＳ２２３Ｂにおいて、ＮＯならば、ステップＳ２２４に進む。
【０１６３】
ステップＳ２２４では、前述のステップＳ１２４と同様な処理が行なわれるので詳細な説明は繰り返さない。ステップＳ２２４において、ＹＥＳならば、ステップＳ２２４Ａに進む。一方、ステップＳ２２４において、ＮＯならば、再度、ステップＳ２２１の処理が行なわれる。
【０１６４】
ステップＳ２２４Ａでは、制御部１５０が、記憶部１７０に記憶されている全チャンネルのうち、最も古いデータを削除する。削除されるデータの一例としては、１つの番組に対応するデータである。また、削除されるデータの一例としては、所定時間（たとえば、６０分）分のデータである。
【０１６５】
なお、制御部１５０が、１つの番組に対応するデータを削除する場合、当該削除する番組内の任意の位置の１フレームを静止画像（サムネイル画像）として記憶部１７０に記憶させてもよい。その後、再度、ステップＳ２２１の処理が行なわれる。
【０１６６】
前述のステップＳ２２３Ｂにおいて、ＹＥＳならば、ステップＳ２２９に進む。ステップＳ２２９では、制御部１５０が、録画処理フラグをオフに設定する。これにより、データ処理部１４０による録画処理は中止される。その後、このキャプチャ処理Ｂは終了して（図１２の時刻ｔｍに対応）、図１１の処理に戻り、ステップＳ２２０の次のステップＳ２３０に進む。
【０１６７】
再び、図１１を参照して、ステップＳ２３０では、画像表示処理Ｂ２が行なわれる。画像表示処理Ｂ２では、前述のステップＳ１３０と同様な処理が行なわれるので、詳細な説明は繰り返さない。以上の処理により、この処理は終了する。
【０１６８】
なお、本実施の形態では、視聴履歴情報に基づいて集計処理された、カテゴリの優先度を使用したが、カテゴリの優先度の代わりに、前述の集計処理によって算出された、チャンネルの優先度、通信履歴情報により算出されたチャンネルまたは番組の優先度およびユーザ情報により算出されたチャンネルまたは番組の優先度のいずれかの優先度を使用して、前述の処理が行なわれてもよい。
【０１６９】
なお、本実施の形態では、優先度により、各チャンネルの録画処理時間が異なるような処理を行なった。すなわち、所定時間における、各チャンネルの番組の録画するフレーム数が異なるような処理を行なった。しかしながら、本実施の形態では、優先度により、各チャンネルの録画処理時間だけでなく、画像の縦横サイズ、画質（圧縮率）、音質（圧縮率）が異なるような処理を行なってもよい。
【０１７０】
当該処理の一例としては、優先度が低いチャンネルの番組より、優先度が高いチャンネルの番組を、大きな画像サイズで録画処理するという処理である。
【０１７１】
当該処理の他の一例としては、優先度が低いチャンネルの番組より、優先度が高いチャンネルの番組を高画質（高ビットレート）で録画処理するという処理である。
【０１７２】
以上説明したように、本実施の形態では、嗜好情報に基づいて、録画処理の条件を変化させる。すなわち、本実施の形態では、視聴履歴情報、通信履歴情報およびユーザ情報の少なくとも１つまたはその組合わせの情報から、複数の番組の優先度を算出し、各番組の優先度に基づいて、対応する番組の録画処理の条件を変化させる。当該録画処理の条件は、優先度が大きい程、対応する各チャンネルの番組の画像を記憶部１７０に多く記憶するという条件である。
【０１７３】
したがって、ユーザの興味が高いチャンネルの番組ほど、記憶部１７０には、多くのデータが記憶される。一方、ユーザの興味が低いチャンネルの番組ほど、記憶部１７０に記憶されるデータ量が少なくなる。その結果、記憶部１７０の記憶領域を有効に活用できるという効果を奏する。
【０１７４】
また、本実施の形態では、優先度が大きい程、すなわち、ユーザの興味が高いチャンネルの番組ほど、表示部１１０において、より多くの画像が表示されることになる。したがって、ユーザの興味が高いチャンネルの番組ほど、内容をより詳細に把握できるという効果を奏する。
【０１７５】
すなわち、ユーザが、興味が高い番組を効率よく視聴できるという効果を奏する。
＜第３の実施の形態＞
次に、所定期間（たとえば、１週間）の全てのチャンネルの番組を録画しているサーバと、本発明の実施の形態１および２で説明した映像受信装置１０００とが連携可能なシステムについて説明する。本実施の形態のシステムは、１つの番組全てではなく、１つの番組のうちの一部分のみの視聴を望むユーザのために当該一部分のデータの購入を可能としたシステムであるとする。
【０１７６】
図１４は、コンテンツ配信システム１００００の構成を示すブロック図である。
図１４を参照して、コンテンツ配信システム１００００は、コンテンツサーバ３００と、ネットワーク１８５と、映像受信装置１０００とから構成される。コンテンツサーバ３００と、映像受信装置１０００とは、ネットワーク１８５を介して相互に、データの送受信が可能である。コンテンツサーバ３００は、たとえば、ビデオ・オン・デマンドのサービスを提供するサーバ、放送局内のサーバ、自宅のパーソナルコンピュータ等である。
【０１７７】
コンテンツサーバ３００は、制御部３５０と、記憶部３７０と、通信部３８０とを備える。制御部３５０、記憶部３７０および通信部３８０は、それぞれ、図２の制御部１５０、記憶部１７０および通信部１８０と同様なものであるので詳細な説明は繰り返さない。記憶部３７０には、所定期間（たとえば、１週間）の全てのチャンネルの番組のデータが記憶されている。また、記憶部３７０には、詳細は後述するが認証情報と、課金情報とが記憶されている。
【０１７８】
制御部３５０は、記憶部３７０にデータアクセスする。また、制御部３５０は、通信部３８０とデータの授受を行なう。
【０１７９】
図１５は、コンテンツ配信システムにおける処理を示すフローチャートである。
図１５を参照して、映像受信装置１０００では以下の処理が行なわれる。まず、ステップＳ４１０では制御部１５０により、コンテンツ要求信号が生成される。具体的には、ユーザが、表示部１１０に表示された一覧画像のうち、２つの画像をタッチ操作する。なお、ユーザは、表示部１１０に表示された一覧画像のうち、１つの画像をタッチ操作してもよい。
【０１８０】
図１６は、映像受信装置１０００において、ユーザがタッチ操作する２つの画像を説明するための図である。
【０１８１】
図１６を参照して、２つの画像は、たとえば、表示領域１１０Ｄ内の画像１１０ＤＳ，１１０ＤＦであるとする。画像１１０ＤＳ，１１０ＤＦは、同一チャンネルの画像である。
【０１８２】
再び、図１５を参照して、制御部１５０は、ユーザの２つの画像のタッチ操作により、表示部１１０から、２つの画像を特定するための情報を受信する。制御部１５０は、受信した２つの画像に基づいて、たとえば、フレーム番号、シーン番号等を特定し、特定した情報に基づいて、コンテンツ要求信号を生成する。コンテンツ要求信号とは、画像１１０ＤＳを開始フレーム、画像１１０ＤＦを終了フレームとし、開始フレームと、終了フレームとの間の動画像のデータを要求するための信号である。
【０１８３】
なお、ユーザがタッチ操作した画像が１つの場合は、当該１つの画像が、開始フレームとなる。この場合コンテンツ要求信号は、開始フレームから、当該開始フレームを含む番組の終了までのフレームまでの動画像のデータを要求するための信号となる。その後、ステップＳ４２０に進む。
【０１８４】
ステップＳ４２０では、制御部１５０が、生成したコンテンツ要求信号を、ネットワーク１８５を介して、コンテンツサーバ３００へ送信する。
【０１８５】
コンテンツサーバ３００では、以下の処理が行なわれる。まず、ステップＳ５１０では、制御部３５０が、コンテンツ要求信号があるか否かを判定する。ステップＳ５１０において、ＹＥＳならば、ステップＳ５２０に進む。一方、ステップＳ５１０において、ＮＯならば、再度、ステップＳ５１０の処理が行なわれる。
【０１８６】
ステップＳ５２０では、認証処理が行なわれる。具体的には、制御部３５０が、記憶部３７０に記憶された認証情報に基づいて、コンテンツ要求信号を送信した機器が、不正ユーザにより使用された機器でないか否かを判定する。具体的には、制御部３５０が、コンテンツ要求信号を送信した機器が、認証情報に含まれる機器であるか否かを判定する。あるいは、図示されない入力手段を用いて、パスワードによる認証や、指紋認証等を行なってもよい。ステップＳ５２０において、ＹＥＳならば、ステップＳ５３０に進む。一方、ステップＳ５２０において、ＮＯならば、再度、ステップＳ５１０の処理が行なわれる。
【０１８７】
ステップＳ５３０では、課金処理が行なわれる。課金処理では、制御部３５０が、コンテンツ要求信号で要求された動画像のデータに基づいて、当該動画像データを要求するユーザが支払うべき金額を算出する。そして、算出した金額の情報（以下、課金情報ともいう）を映像受信装置１０００へ送信する。
【０１８８】
映像受信装置１０００では、ステップＳ４２０の処理の後、ステップＳ４３０に進む。
ステップＳ４３０では、映像受信装置１０００が、コンテンツサーバ３００から送信された課金情報を受信する。受信した課金情報は、たとえば、制御部１５０が、当該課金情報を表示部１００に表示させるための描画指示を画像処理部１４５へ送信することで、表示部１００に表示される。その後、ステップＳ４４０に進む。
【０１８９】
ステップＳ４４０では、承諾信号が送信される。具体的には、ユーザは、表示部１００に表示された課金情報を承諾した場合、映像受信装置１０００の図示しないボタン、または、表示部１１０のタッチ操作による承諾操作を行なう。当該承諾信号は、制御部１５０が、ユーザの承諾操作に基づいて、生成する信号である。そして、制御部１５０は、生成した承諾信号をコンテンツサーバ３００へ送信する。
【０１９０】
コンテンツサーバ３００では、ステップＳ５３０の処理の後、ステップＳ５４０に進む。
【０１９１】
ステップＳ５４０では、制御部３５０が、映像受信装置１０００から承諾信号があるか否かを判定する。ステップＳ５４０において、ＹＥＳならば、ステップＳ５５０に進む。一方、ステップＳ５４０において、ＮＯならば、再度、ステップＳ５４０の処理が行なわれる。
【０１９２】
ステップＳ５５０では、制御部３５０が、コンテンツ要求信号で要求された動画像のデータを記憶部３７０から読出し、映像受信装置１０００へ送信する。
【０１９３】
映像受信装置１０００では、ステップＳ４４０の処理の後、ステップＳ４５０に進む。
ステップＳ４５０では、通信部１８０が、コンテンツサーバ３００から、動画像（番組）のデータの受信を開始する。その後、ステップＳ４６０に進む。
【０１９４】
ステップＳ４６０では、制御部１５０が、ステップＳ４５０で通信部１８０にて受信を開始した動画像（番組）のデータを、表示部１００で再生表示させるための描画指示をデータ処理部１４０へ送信する。データ処理部１４０は描画指示に従い、通信部１８０が受信した動画像データをデコードし、画像処理部１４５を介して表示部１００に表示させる。表示部１００には、コンテンツサーバ３００から、動画像（番組）のデータの受信しながら、既に受信したデータが再生される。すなわち、ストリーミング再生が行なわれる。なお、コンテンツサーバ３００から、受信したデータの全てを、一旦、記憶部１７０に記憶させた後、表示部１００に、当該受信したデータを再生表示させてもよい。
【０１９５】
本実施の形態ではユーザの画像のタッチ操作により、表示させる画像やチャンネルを選択しているが、本発明はこれに限られたものではなく、たとえばリモコンや別途備えられたボタン等を用いてユーザによる選択が行なわれても良い。
【０１９６】
以上説明したように、本実施の形態では、表示部１１０に表示された一覧画像から、ユーザが視聴を望む番組の一部分の開始フレームと、終了フレームとを選択（または、開始フレームのみを選択）し、その情報を、番組のデータが記録されているサーバへ送信する。すなわち、番組のデータを映像受信装置１０００に記録させておく必要はない。したがって、映像受信装置１０００は、大容量な記憶部を備える必要がなく、コストおよび重量の軽減を図ることができるという効果を奏する。
【０１９７】
また、ユーザが視聴を望む番組の全てではなく、一部分とすることで、映像受信装置１０００内の記憶部の消費される領域、通信にかかる時間および費用を最小限に抑えることができるという効果を奏する。
【０１９８】
したがって、ユーザが視聴を望む番組の一部分のみを、容易に、かつ、素早く視聴することができるという効果を奏する。
【０１９９】
また、本実施の形態におけるコンテンツ配信システムまたはコンテンツサーバでは、映像受信装置１０００にユーザの興味が高い番組を効率よく表示させることができるという効果を奏する。
【０２００】
また、ユーザが視聴を望む番組の一部分のデータに対応する課金情報を、映像受信装置１０００へ送信することで、ユーザは、容易に、ユーザが視聴を望む番組の一部分データの料金を知ることができるという効果を奏する。
【０２０１】
すなわち、ユーザは、視聴を望む番組の全てに対する料金ではなく、番組の一部分のデータに基づいた料金を支払うのみでよいため、無駄な支払いを避けることができるという効果を奏する。
【０２０２】
なお、コンテンツサーバ３００が、映像受信装置１０００を使用するユーザの所有するパーソナルコンピュータもしくは動画等を蓄積するホームサーバである場合は、当然のことながら、前述の課金処理およびその処理に関連する処理は行なわれなくてもよい。
【０２０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０４】
【図１】本実施の形態における映像受信装置の外観図を示すブロック図である。
【図２】映像受信装置の内部の制御構成を示すブロック図である。
【図３】映像受信装置で行なわれる処理のフローチャートである。
【図４】本実施の形態におけるキャプチャ処理を説明するための図である。
【図５】本実施の形態における、キャプチャ処理のフローチャートである。
【図６】嗜好情報の構成を示す図である。
【図７】一例としての視聴履歴情報データテーブルを示す図である。
【図８】一例としての視聴履歴情報データテーブルを利用したカテゴリの集計状態を示す図である。
【図９】一例としての視聴履歴情報データテーブルを利用したチャンネルの集計状態を示す図である。
【図１０】集計処理されたデータに基づいて、ＥＰＧデータと、優先度を対応づけた番組一覧データである。
【図１１】本実施の形態において映像受信装置で行なわれる処理のフローチャートである。
【図１２】本実施の形態における、録画開始時刻の算出およびキャプチャ処理Ｂを説明するための図である。
【図１３】本実施の形態における、キャプチャ処理Ｂのフローチャートである。
【図１４】コンテンツ配信システムの構成を示すブロック図である。
【図１５】コンテンツ配信システムにおける処理を示すフローチャートである。
【図１６】映像受信装置において、ユーザがタッチ操作する２つの画像を説明するための図である。
【符号の説明】
【０２０５】
１００，１１０  表示部、１４０  データ処理部、１５０，３５０  制御部、１７０  記憶部、１７５  制御プログラム、１９５  記録媒体、３００  コンテンツサーバ、１０００  映像受信装置、１００００  コンテンツ配信システム。
【図１】
2006333342.tif 000003
【図２】
2006333342.tif 000004
【図３】
2006333342.tif 000005
【図４】
2006333342.tif 000006
【図５】
2006333342.tif 000007
【図６】
2006333342.tif 000008
【図７】
2006333342.tif 000009
【図８】
2006333342.tif 000010
【図９】
2006333342.tif 000011
【図１０】
2006333342.tif 000012
【図１１】
2006333342.tif 000013
【図１２】
2006333342.tif 000014
【図１３】
2006333342.tif 000015
【図１４】
2006333342.tif 000016
【図１５】
2006333342.tif 000017
【図１６】
2006333342.tif 000018